(57)【特許請求の範囲】
【請求項１】
画像データを表示画面に表示させる表示制御手段と、
前記表示画面との距離が第１の所定距離以内の音声出力装置であって、前記表示画面に対応する位置が前記表示画面に表示された画像データの位置から第２の所定距離以内の音声出力装置を検出する検出手段と、
前記検出手段により複数の音声出力装置が検出された場合に、前記表示画面に対応する位置が前記画像データから前記第２の所定距離以内の音声出力装置の個数に応じて、当該画像データに対応する音声データを前記複数の音声出力装置のそれぞれに送信するための複数の音声データに変換し、当該複数の音声データを当該複数の音声出力装置のそれぞれに送信するよう制御する送信制御手段と
を有することを特徴とする表示制御装置。
【請求項２】
前記送信制御手段は、前記画像データに対応する音声データを音声出力装置の個数に応じて音域で分割し、分割した前記音声データを前記複数の音声出力装置のそれぞれにそれぞれ送信するよう制御することを特徴とする請求項１に記載の表示制御装置。
【請求項３】
さらに、音声出力装置の音域に関する情報を取得する情報取得手段を有し、
前記画像データに対応する音声データを音声出力装置の個数に応じて音域で分割した音声データが、前記情報取得手段によって取得された前記音域に関する情報に応じた音声出力装置へ送信されるように送信する音声データを決定することを特徴とする請求項２に記載の表示制御装置。
【請求項４】
前記画像データは、対応する複数の音声データを有し、
前記送信制御手段は、
前記複数の音声データのうちの１つの音声データ、または前記複数の音声データのうちの複数の音声データを合成した音声データを、前記複数の音声出力装置のうちの１つの音声出力装置に送信するよう制御することを特徴とする請求項１に記載の表示制御装置。
【請求項５】
前記表示制御手段は、前記検出手段により検出された前記表示画面上の位置から前記第２の所定距離以内の前記表示画面上の範囲を示す範囲画像を表示させ、
前記送信制御手段は、前記範囲画像に表示領域が重複する画像データに対応する音声データを前記複数の音声出力装置のそれぞれに送信するための複数の音声データに変換し、当該複数の音声データを当該複数の音声出力装置のそれぞれへ送信するよう制御することを特徴とする請求項１に記載の表示制御装置。
【請求項６】
前記画像データを表示する表示画面は水平に設置されることを特徴とする請求項１〜４の何れか１項に記載の表示制御装置。
【請求項７】
画像データを表示画面に表示させる表示制御工程と、
前記表示画面との距離が第１の所定距離以内の音声出力装置であって、前記表示画面に対応する位置が前記表示画面に表示された画像データの位置から第２の所定距離以内の音声出力装置を検出する検出工程と、
前記検出工程により複数の音声出力装置が検出された場合に、前記表示画面に対応する位置が前記画像データから前記第２の所定距離以内の音声出力装置の個数に応じて、当該画像データに対応する音声データを前記複数の音声出力装置のそれぞれに送信するための複数の音声データに変換し、当該複数の音声データを当該複数の音声出力装置のそれぞれに送信するよう制御する送信制御工程と
を有することを特徴とする制御方法。
【請求項８】
前記送信制御工程は、前記画像データに対応する音声データを音声出力装置の個数に応じて音域で分割し、分割した前記音声データを前記複数の音声出力装置のそれぞれにそれぞれ送信するよう制御することを特徴とする請求項７に記載の制御方法。
【請求項９】
さらに、音声出力装置の音域に関する情報を取得する情報取得工程を有し、
前記画像データに対応する音声データを音声出力装置の個数に応じて音域で分割した音声データが、前記情報取得工程によって取得された前記音域に関する情報に応じた音声出力装置へ送信されるように送信する音声データを決定することを特徴とする請求項８に記載の制御方法。
【請求項１０】
前記画像データは、対応する複数の音声データを有し、
前記送信制御工程は、
前記複数の音声データのうちの１つの音声データ、または前記複数の音声データのうちの複数の音声データを合成した音声データを、前記複数の音声出力装置のうちの１つの音声出力装置に送信するよう制御することを特徴とする請求項７に記載の制御方法。
【請求項１１】
前記表示制御工程は、前記検出工程により検出された前記表示画面上の位置から前記第２の所定距離以内の前記表示画面上の範囲を示す範囲画像を表示させ、
前記送信制御工程は、前記範囲画像に表示領域が重複する画像データに対応する音声データを前記複数の音声出力装置のそれぞれに送信するための複数の音声データに変換し、当該複数の音声データを当該複数の音声出力装置のそれぞれへ送信するよう制御することを特徴とする請求項７に記載の制御方法。
【請求項１２】
前記画像データを表示する表示画面は水平に設置されることを特徴とする請求項７〜１０の何れか１項に記載の制御方法。
【請求項１３】
画像データを表示画面に表示させる表示制御手順と、
前記表示画面との距離が第１の所定距離以内の音声出力装置であって、前記表示画面に対応する位置が前記表示画面に表示された画像データの位置から第２の所定距離以内の音声出力装置を検出する検出手順と、
前記検出手順により複数の音声出力装置が検出された場合に、前記表示画面に対応する位置が前記画像データから前記第２の所定距離以内の音声出力装置の個数に応じて、当該画像データに対応する音声データを前記複数の音声出力装置のそれぞれに送信するための複数の音声データに変換し、当該複数の音声データを当該複数の音声出力装置のそれぞれに送信するよう制御する送信制御手順と
をコンピュータに実行させることを特徴とするプログラム。
【請求項１４】
請求項１３に記載のプログラムを記憶したことを特徴とするコンピュータ読み取り可能な記憶媒体。
【発明の詳細な説明】
【技術分野】
【０００１】
本発明は表示制御装置及び制御方法に関し、特に、表示制御装置によって表示されているコンテンツに対応する音声データを出力するために用いて好適な技術に関する。
【背景技術】
【０００２】
近年、ＰＣ（パーソナルコンピュータ）の普及によりマルチウィンドウシステムが広く一般的に使われている。マルチウィンドウシステムとは、複数の仮想的な領域を表示装置上に定義し、異なるアプリケーションを仮想的な領域に割り当てるシステムである。
【０００３】
オペレータは、マウスなどの入力装置によりこの仮想的な領域を切り替えながら、同時に複数のアプリケーションを利用することができる。また、アプリケーションの処理を行う演算装置の高性能化に伴い、演算量が多い動画像コンテンツの再生などもマルチウィンドウシステムで実現されている。マルチウィンドウシステムにおいて動画像コンテンツを再生することにより、複数の動画像コンテンツを同時に再生して視聴することが可能となる。
【０００４】
しかしながら、マルチウィンドウシステムにおいて、動画像コンテンツのような音声を含むデータを複数同時並行に再生させた場合、複数の音声が合成されて出力されるためにオペレータは聞き取りづらいという問題点があった。このような問題点において、マルチウィンドウシステムの音声合成技術として、例えば（特許文献１）が開示されている。この技術によれば、ポインタ表示位置とウインドウとの距離によって音量を選択して合成することにより、所望のアプリケーションの音声を大きくし、他のアプリケーションの音声を抑制することが可能となる。
【０００５】
さらに、近年ＬＣＤ(Liquid crystal display)や、ＰＤＰ(Plasma display panel)や液晶プロジェクタに代表される表示装置の大型化・高精細化が進んでいる。また、高解像度をサポートするグラフィックスカードの開発により、前述のマルチウィンドウシステムを用いてさらに多くのアプリケーションを扱うことが可能となっている。そのため、大型の表示装置を１人のオペレータで扱うのではなく、複数人でシェアして使用することも可能となっている。例えば、（特許文献２）によれば、表示装置を水平に設置してテーブル型とし、複数人のオペレータが１つの表示装置をシェアして使用する表示装置も開示されている。
【先行技術文献】
【特許文献】
【０００６】
【特許文献１】特開平６ー１１０６４２号公報
【特許文献２】特開２０００ー３０５０７９号公報
【発明の概要】
【発明が解決しようとする課題】
【０００７】
しかしながら、複数人のオペレータが表示装置をシェアして使用する場合において、表示データに対応する音声の出力に関する設定が煩雑になることがあった。
例えば、各オペレータが、表示装置に複数の動画コンテンツを表示している場合、オペレータは、各動画コンテンツに対応する音声の音量やステレオ／モノラル設定などを行う必要があった。また、１つの表示装置をシェアしつつも、各オペレータが個別に作業をする場合においては、他のオペレータの設定を考慮する必要があった。
本発明は前述の問題点に鑑み、複数人で表示装置をシェアする場合に出力する音声の設定を簡略化することを目的とする。
【課題を解決するための手段】
【０００８】
本発明の表示制御装置は、画像データを表示画面に表示させる表示制御手段と、前記表示画面との距離が第１の所定距離以内の音声出力装置であって、前記表示画面に対応する位置が前記表示画面に表示された画像データの位置から第２の所定距離以内の音声出力装置を検出する検出手段と、前記検出手段により複数の音声出力装置が検出された場合に、前記表示画面に対応する位置が前記画像データから前記第２の所定距離以内の音声出力装置の個数に応じて、当該画像データに対応する音声データを前記複数の音声出力装置のそれぞれに送信するための複数の音声データに変換し、当該複数の音声データを当該複数の音声出力装置のそれぞれに送信するよう制御する送信制御手段とを有することを特徴とする。
【発明の効果】
【０００９】
本発明によれば、複数の音声出力装置が検出された場合に、各音声出力装置へ出力する音声データの設定の利便性を向上させることができる。これにより、複数人で表示装置をシェアする場合に出力する音声の設定を簡略化することができる。
【図面の簡単な説明】
【００１０】
【図１】第１の実施形態の表示制御装置の構成例を示すブロック図である。
【図２】第１の実施形態の表示制御装置の外観を示す図である。
【図３】第１の実施形態の表示制御装置の処理を説明するためのフローチャートである。
【図４】第１の実施形態における表示画面の例を示す図である。
【図５】音声出力装置が設置されている座標の一例を説明する図である。
【図６】表示されているコンテンツの座標及び音声データの有無を説明する図である。
【図７】第１の実施形態における表示画面の例を示す図である。
【図８】第２の実施形態の表示制御装置の構成例を示すブロック図である。
【図９】第２の実施形態の表示制御装置の処理を説明するためのフローチャートである。
【図１０】第２の実施形態における表示画面の例を示す図である。
【図１１】第２の実施形態における音声出力装置の座標例を説明するための図である。
【図１２】第２の実施形態で表示されているコンテンツの座標及び音声データの有無を説明する図である。
【図１３】第２の実施形態における表示画面の例を示す図である。
【図１４】第３の実施形態の表示制御装置の構成例を示すブロック図である。
【図１５】第３の実施形態の表示制御装置の処理を説明するためのフローチャートである。
【発明を実施するための形態】
【００１１】
以下、添付の図面を参照して、本発明の好適な実施形態を詳細に説明する。なお、本実施形態では、表示部を水平に設置してテーブル型とした実施形態を説明するが、これは一例に過ぎず、本発明は図示された構成に限定されるものではない。
【００１２】
＜第１の実施形態＞
図１に、表示制御装置の要部の構成例を示すブロック図を示す。また、図２に表示制御装置１００の外観図を示す。
表示部１１０は、ＬＣＤやＰＤＰに代表されるディスプレイ装置である。本実施形態では、図２の２１０で示されるように水平に設置され、写真、動画像、文章や音楽ファイル等のコンテンツ２３０〜２３２に応じた画像を表示することができる。表示部１１０は、コンテンツ画像を表示する表示画面２１０に対応する。
【００１３】
図１において、１２０は、スピーカなどの音声を出力する音声出力装置である。本実施形態では、図２の２２０で示されるように、地面に対して水平に設置された表示部１１０上に設置して使用する。また、音声出力装置１２０は、小型で可搬なスピーカであれば、本実施形態に用いてより望ましい。
【００１４】
１３０は、表示部１１０に近接する音声出力装置を検知する近接検知部である。即ち、近接検知部１３０は、表示部１１０（表示画面）との距離が所定距離（第１の所定距離）以内にある音声出力装置を検知する。本実施形態の近接検知部１３０は、表示部１１０の表面に設けられたセンサによって物体の近接を検知し、その物体との通信により音声出力装置であるか判定する。
近接検知部１３０は、表示部１１０に近接する音声出力装置１２０を検知した後、データ送信制御部１６０を介して音声出力装置１２０との通信を確立する。本実施形態では、データ送信制御部１６０は、音声出力装置１２０に係る情報取得を行い、音声出力装置１２０との通信にBluetoothなどに代表される公知の無線通信技術を用いて通信を確立する。
【００１５】
１４０は、近接検知部１３０で検知された音声出力装置１２０の表示部１１０上の位置を決定する位置検出部である。本実施形態の位置検出部１４０は、音声出力装置１２０の検知位置から表示部１１０（表示画面２１０）への垂線が表示画面２１０と交わる位置に基づいて、表示部１１０上の位置を決定する。また、本実施形態の位置検出部１４０は、音声出力装置が表示部１１０と接触している場合は、接触領域の中心を、音声出力装置１２０の表示部１１０上の位置として決定する。
１５０は、近接検知部１３０で検知された音声出力装置１２０の位置付近に存在するコンテンツに対応する音声データをデータ送信制御部１６０に出力するコンテンツ選択部である。すなわち、コンテンツ選択部１５０は、位置検出部１４０によって決定された位置から所定距離（第２の所定距離）以内に表示されるコンテンツ（画像データ）が存在するか判断する。そして、コンテンツ選択部１５０は、第２の所定範囲内にコンテンツが存在している場合、対応する音声データをデータ送信制御部１６０へ出力する。データ送信制御部１６０は、コンテンツ選択部１５０によって出力された音声データを無線通信で音声出力装置１２０に送信する。
【００１６】
１７０は、コンテンツ２３０〜２３２の再生やコンテンツの表示位置の制御などを行う表示制御部である。また、表示制御部１７０は位置検出部１４０によって決定された音声出力装置１２０の位置から所定距離（第２の所定距離）以内の範囲を示す範囲画像（近接円）を表示させる。コンテンツ選択部１５０は、範囲画像に表示領域が重複するコンテンツ（画像データ）に対応する音声データをデータ送信制御部１６０に出力する。図２の外観図には、近接検知部１３０、位置検出部１４０、コンテンツ選択部１５０、データ送信制御部１６０、表示制御部１７０は図示されないが、表示制御装置２００内に実装されているものとする。
【００１７】
次に、図３のフローチャートを参照しながら本実施形態の表示制御装置の処理手順を説明する。また、図４に表示部４１０がコンテンツ４４０〜４４２を表示し、音声出力装置４２０が表示部４１０上に設置されている状態を図示する。以上に示したフローチャートと図を用いて本実施形態の説明を行う。
【００１８】
まず、図３に示すフローチャートのステップ３１０において、近接検知部１３０は音声出力装置１２０と表示部１１０の距離を測定する。音声出力装置４２０は表示部４１０上に設置されているので、近接検知部１３０が測定した距離は０ｃｍとする。
【００１９】
次に、ステップ３２０において、近接検知部１３０が距離Ｎ（第１の所定距離）以内に近接している音声出力装置１２０があるか否かを判定する。本実施形態では距離Ｎは３ｃｍとする。ステップ３１０において測定された音声出力装置４２０と表示部４１０の距離は０ｃｍであり、距離Ｎの３ｃｍ以内であるので音声出力装置４２０が検知される。
【００２０】
一方、ステップ３２０の判定の結果、表示部４１０の３ｃｍ以内に音声出力装置が無かった場合はステップ３１０に遷移し、近接している音声出力装置との距離を再び測定する。したがって、距離がＮ以上である場合には、ステップ３１０とステップ３２０を一定時間毎に繰り返し距離の再測定を行う。本実施形態では距離再測定までの時間間隔は０.５秒とする。本実施形態では、ステップ３２０の判定の結果、近接検知部１３０が距離３ｃｍ以内に音声出力装置１２０が存在すると判定したのでステップ３３０に遷移する。
【００２１】
ステップ３３０（決定手順）においては、近接検知部１３０によって表示部１１０に近接していると判定された音声出力装置４２０の座標を位置検出部１４０が決定する。すなわち、位置検出部１４０は、表示部１１０（表示画面４１０）との距離が所定距離（第１の所定距離）以内の音声出力装置の位置に基づいて表示部１１０上の位置を決定する。本実施形態の位置検出部１４０は、音声出力装置の検知位置から表示画面４１０への垂線が表示画面４１０と交わる位置に基づいて、表示画面上の位置を決定する。また、本実施形態の位置検出部１４０は、音声出力装置が表示部４１０と接触している場合は、接触領域の中心を、音声出力装置１２０の表示画面４１０上の位置として決定する。本実施形態では、図４の表示部４１０の左上を座標(ｘ,ｙ)＝(０,０)とし、図５に示した座標(ｘ,ｙ)＝(６００,５５０)に音声出力装置が設置されているとする。位置検出部１４０は、音声出力装置４２０の表示部４１０上の座標を(ｘ,ｙ)＝(６００,５５０)であると決定する。
【００２２】
ステップ３４０において、コンテンツ選択部１５０は、表示制御部１７０によって制御されるコンテンツ４４０〜４４２の座標を決定する。コンテンツ４４０〜４４２はそれぞれ、図６に示した表示部４１０の座標６１０〜６１２に表示されているものとする。
【００２３】
次に、ステップ３５０において、コンテンツ選択部１５０は、音声出力装置４２０の近傍にコンテンツが存在するか否かを判断する。この判断では、音声出力装置４２０の表示画面４１０上の座標を中心として半径(１００)の近接円４３０に表示されているコンテンツを近傍に存在すると判断する。コンテンツ選択部１５０は、音声出力装置４２０の近接円４３０と各コンテンツ４４０〜４４２の座標とに基づいて交点計算を行う。すなわち、表示制御部１７０は、音声出力装置４２０の表示画面４１０上の位置から第２の所定距離（半径１００）以内の範囲を示す範囲画像（近接円４３０）を表示させる。そして、コンテンツ選択部１５０は、範囲画像に表示領域が重複するコンテンツ（画像データ）が存在するか判断する。
【００２４】
ステップ３５０の判断の結果、音声出力装置４２０の近接円４３０に表示領域が含まれるコンテンツがあると判断された場合にはステップ３６０に遷移する。また、ステップ３５０の判断の結果、音声出力装置４２０の近接円４３０に表示領域が含まれるコンテンツが存在しないと判断された場合は、ステップ３３０に遷移する。そして、一定時間毎にステップ３３０、ステップ３４０、ステップ３５０の処理を繰り返し行い、音声出力装置４２０の近傍にコンテンツが存在しないか確認する。
【００２５】
本実施形態では、コンテンツ４４０の表示領域が音声出力装置４２０の近接円４３０に交わると判断されステップ３６０に遷移する。ステップ３６０では、コンテンツ選択部１５０が音声を出力するコンテンツを決定する。すなわち、コンテンツ選択部１５０は、音声出力装置４２０の近傍にあるコンテンツに対応する音声データが存在するか否かを判定する。そして、コンテンツ選択部１５０は、音声出力装置４２０の近傍に表示されているコンテンツが動画像や音楽ファイルなどの音声データを持つコンテンツであれば、音声データを取得する。
【００２６】
一方、コンテンツ選択部１５０は、音声出力装置４２０の近傍に表示されているコンテンツが、写真や文章などの音声データを持たないコンテンツであれば音声データの取得は行わない。本実施形態の各コンテンツ４４０〜４４２の音声データの有無を図６に示す。近接円４３０に交わるコンテンツ４４０は音声データを持つので、コンテンツ４４０の音声データが選択され、ステップ３７０に遷移する。
【００２７】
ステップ３７０（送信制御手順）において、データ送信制御部１６０は、コンテンツ選択部１５０で決定された音声データを音声出力装置４２０に送信する。即ち、データ送信制御部１６０は、位置検出部１４０により決定された表示画面上（表示部４１０上）の位置から第２の所定距離（半径１００）以内に表示される画像データ（コンテンツ４４０）に対応する音声データを送信するように制御する。本実施形態では、コンテンツ４４０の音声データがBluetoothのような、公知の無線通信技術を用いて音声出力装置４２０に送信される。
【００２８】
次に、ステップ３８０に遷移し、データ送信制御部１６０から送信された音声データを音声出力装置４２０が出力する。これにより、本実施形態では、コンテンツ４４０の音声データが音声出力装置４２０から出力される。
【００２９】
次に、図７に音声出力装置７２０の近接円に２つのコンテンツが交わっている状態を図示する。この場合、音声出力装置７２０の近接円７３０にコンテンツ７４０と７４１とが交わっている。コンテンツ７４０と７４１の両方が音声データを持っている場合、ステップ３６０において、コンテンツ選択部１５０は、コンテンツ７４０と７４１の音声データを合成してデータ送信制御部１６０に出力する。そして、ステップ３７０において、データ送信制御部１６０は、合成された音声データを音声出力装置７２０に送信する。尚、本実施形態のコンテンツ選択部１５０は、コンテンツ７４０と７４１のうち、音声出力装置により近いコンテンツに対応する音声データの音量が、より大きくなるように、音声データの合成を行う。
【００３０】
以上説明したように、本実施形態の表示制御装置１００は、コンテンツ（画像データ）を表示部１１０（表示画面４１０）に表示させる。また、位置検出部１４０は、表示部１１０との距離が所定距離（第１の所定距離）以内の音声出力装置１２０の位置に対応する表示部１１０上の位置を決定する。そして、データ送信制御部１６０は、位置検出部１４０により決定された表示部１１０上の位置から所定距離（第２の所定距離）以内に表示されているコンテンツ（画像データ）に対応する音声データを音声出力装置１２０に送信する。
【００３１】
このようにすることにより、複数人で表示装置をシェアする場合において、オペレータが、音声出力装置をコンテンツに近接させることにより、所望のコンテンツの音声を音声出力装置から出力させることが可能となる。
【００３２】
＜第２の実施形態＞
次に、第２の実施形態を第１の実施形態との差異を中心に説明する。図８に、第２の実施形態に係る表示制御装置８００の機能構成の一例を示す。第１の実施形態と同様に、表示部８１０は、ＬＣＤやＰＤＰに代表されるディスプレイ装置である。表示部８１０は、図１０の表示画面１０１０に対応する。
【００３３】
図８において、８２０は、音声を出力するスピーカなどの音声出力装置である。８３０は、表示部８１０に近接する音声出力装置を検知する近接検知部である。即ち、近接検知部８３０は、表示部８１０からの距離が所定距離（第１の所定距離）以内にある音声出力装置を検知する。８４０は、近接検知部８３０で検知された音声出力装置８２０の近接位置を決定する位置検出部である。そして、位置検出部８４０は、表示部８１０からの距離が第１の所定距離以内の音声出力装置の表示部８１０上の位置を決定する。
【００３４】
８５０は、近接検知部８３０で検知された音声出力装置８２０の位置付近に存在するコンテンツに対応する音声データをデータ送信制御部８６０に出力するコンテンツ選択部である。すなわち、コンテンツ選択部８５０は、位置検出部８４０によって決定された位置から所定距離（第２の所定距離）以内に表示されるコンテンツ（画像データ）が存在するか判断する。そして、コンテンツ選択部８５０は、第２の所定範囲内にコンテンツが存在している場合、対応する音声データを音声データ選択部８８１へ出力する。
【００３５】
音声データ選択部８８１は、データ送信制御部８６０を介して音声出力装置８２０に送信する音声データを、表示部８１０に近接する音声出力装置８２０の数に応じて選択する。また、音声データ選択部８８１は、表示部８１０に近接する音声出力装置８２０の数に応じて音声データを変換する。尚、表示部８１０に近接する音声出力装置８２０の個数は、音声出力装置カウント部８８０によって取得される。すなわち、音声データ選択部８８１は、音声出力装置カウント部８８０により取得された音声出力装置の個数に応じて、音声出力装置へ送信する音声データを決定する。そして、音声データ選択部８８１は、音声出力装置へ送信すると決定した音声データをデータ送信制御部８６０へ出力する。データ送信制御部８６０は、音声データ選択部８８１によって選択、変換された音声データを無線通信で各音声出力装置に送信する。
【００３６】
８７０は、コンテンツ（画像データ）の表示位置や再生などの制御などを行う表示制御部である。表示制御部８７０は、位置検出部８４０によって決定された音声出力装置８２０の位置から所定距離（第２の所定距離）以内の範囲を示す範囲画像（近接円）を表示させる。コンテンツ選択部８５０は、範囲画像に表示領域が重複するコンテンツ（画像データ）に対応する音声データを音声データ選択部８８１に出力する。
【００３７】
図９に、本実施形態の表示制御装置８００の処理手順を示したフローチャートを示す。また、図１０に表示制御装置１０００の表示画面１０１０がコンテンツ１０４０〜１０４２を表示し、音声出力装置１０２０、１０２１が表示画面１０１０上に設置されている状態を示す。また、図１１に、近接した音声出力装置１０２０、１０２１の座標情報を示し、図１２に、表示されているコンテンツの情報を示す。さらに、図１２で示すように、コンテンツ１０４０は２チャンネルのステレオ音声データを持っているものとする。また、コンテンツ１０４１は１チャンネルのモノラル音声データ、コンテンツ１０４２は音声データは持っていないものとする。
【００３８】
第１の実施形態と同様にステップ９１０〜９５０では、表示部８１０（表示画面１０１０）に近接する音声出力装置８２０の表示画面１０１０上の座標を決定する。さらに、コンテンツの座標と音声出力装置８２０の近接円と交点計算などの演算を行い音声出力装置８２０に近接するコンテンツを選択する。本実施形態では、図１０に図示するように２台の音声出力装置１０２０、１０２１が表示部８１０に近接する音声出力装置として検知される。すなわち、音声出力装置カウント部８８０は、一のコンテンツ（コンテンツ１０４０）の表示領域から所定距離（第２の所定距離）以内にある音声出力装置の数が２台であるとカウントする。また、図１１で示すように音声出力装置１０２０、１０２１の座標は、それぞれ(ｘ,ｙ)＝(６００,５５０)、(ｘ,ｙ)＝(１０８０,５５０)と決定される。
【００３９】
また、図１０で示すようにコンテンツは、３つ表示されている。コンテンツ１０４０〜１０４２はそれぞれ図１２に示す座標１２１０〜１２１２に囲まれた領域に表示されている。ステップ９５０で交点計算を行った結果、コンテンツ１０４０の表示領域が２つの音声出力装置１０２０、１０２１の近接円１０３０、１０３１と交わっていると判断される。
【００４０】
この場合は、ステップ９５０からステップ９６０に遷移して、音声出力装置カウント部８８０がコンテンツに近接している音声出力装置の数をカウントする。即ち、音声出力装置カウント部８８０は、一のコンテンツ（コンテンツ１０４０）の表示領域から所定距離（第２の所定距離）以内にある音声出力装置の数をカウントする。本実施形態では、音声出力装置１０２０、１０２１の２つが近接していると判断される。
【００４１】
次に、ステップ９７０では、音声データ選択部８８１が送信する音声データの選択を行う。本実施形態では、図１２に示すように、コンテンツ１０４０は２チャンネルのステレオ音声データを持っている。音声データ選択部８８１は、音声出力装置が２つ近接しているので、１つの音声出力装置に対し１チャンネルずつの音声データを送信することを決める。即ち、音声データ選択部８８１は、一のコンテンツ（コンテンツ１０４０）に対応する音声データの数（チャンネル数）を取得する。そして、音声データ選択部８８１は、取得した音声データの数と、近接している音声出力装置の数が同じ数の場合、１つの音声出力装置に１つの音声チャンネルの音声データが送信されるように、送信する音声データを決定する。
【００４２】
次に、ステップ９８０では、データ送信制御部８６０が、音声データ選択部８８１で選択された音声データを音声出力装置８２０に送信する。本実施形態では、１チャンネル音声を音声出力装置１０２０に送信し、２チャンネル音声を音声出力装置１０２１に送信する。
【００４３】
次に、ステップ９９０では、音声出力装置１０２０、１０２１がそれぞれ１チャンネル音声、２チャンネル音声を再生することによりステレオ再生が実現できる。このように、音声チャンネル数と音声出力装置の数が等しい場合には、各音声出力装置に１チャンネルずつ割り当て出力する。
【００４４】
また、データ送信制御部８６０は、コンテンツに対応する音声チャンネル数が、近接している音声出力装置の数より多い場合には、複数の音声チャンネルの音声を合成して出力することを決定する。本実施形態では、２チャンネルのステレオ音声データを持つコンテンツ１０４０に近接している音声出力装置が１つだった場合、音声出力装置からは、コンテンツ１０４０の２チャンネルの音声データを合成した音声が出力される。逆に、音声チャンネル数が音声出力装置の数より少ない場合は、音声出力装置に１チャンネルずつ割り当てた後、残りの音声出力装置からは音声チャネルを合成した音声を出力する。
【００４５】
図１３に、音声チャネル数が音声出力装置の数より少ない場合を図示する。図１３において、１３００は表示制御装置、１３１０は表示部（表示画面）、１３２０〜１３２２は音声出力装置、１３３０〜１３３２は近接円、１３４０〜１３４２はコンテンツを示している。図１３の例では、２チャンネルのステレオ音声データを持つコンテンツ１３４０に、３つの音声出力装置１３２０〜１３２２が近接している。
【００４６】
この場合、音声出力装置１３２０は１チャンネル音声を出力し、音声出力装置１３２１は２チャンネル音声を出力し、音声出力装置１３２２は１チャンネル音声と２チャンネル音声を合成した音声を出力する。
【００４７】
以上説明したように、本実施形態の表示制御装置８００は、コンテンツ（画像データ）を表示部８１０（表示画面１０１０）に表示させる。また、位置検出部８４０は、表示部８１０との距離が所定距離（第１の所定距離）以内にある複数の音声出力装置８２０のそれぞれの位置に基づいて表示部８１０上の位置を決定する。そして、データ送信制御部８６０は、位置検出部８４０により決定された複数の位置のそれぞれから所定距離（第２の所定距離）以内に表示されるコンテンツ（画像データ）がある場合、以下のように出力する音声データを決定する。
【００４８】
すなわち、データ送信制御部８６０は、近接している音声出力装置の数と、音声データの数（音声チャンネル数）が同一の場合、１つの音声出力装置に、１つの音声チャンネルの音声データが送信されるように、送信する音声データを決定する。また、データ送信制御部８６０は、近接している音声出力装置の数が、音声データの数（音声チャンネル数）よりも多い場合、以下のように送信する音声データを決定する。すなわち、１つの音声チャンネルの音声データを１つの音声出力装置に送信し、残った音声出力装置に各音声チャネルの音声データを合成した音声データを送信するように、送信する音声データを決定する。また、データ送信制御部８６０は、近接する音声出力装置の数が、音声データの数よりも少ない場合、各音声チャンネルの音声データを合成した音声データを各音声出力装置に送信するように、送信する音声データを決定する。
【００４９】
このようにすることにより、オペレータが、コンテンツに近接させる音声出力装置の数を変更することにより再生するチャンネル数を変更することができる。
【００５０】
＜第３の実施形態＞
図１４に、第３の実施形態に係る表示制御装置１４００の機能構成の一例を示す。この場合、第１の実施形態と同様に、表示部１４１０は、ＬＣＤやＰＤＰに代表されるディスプレイ装置である。
１４２０は、音声を出力するスピーカなどの音声出力装置である。１４３０は、表示部１４１０に近接する音声出力装置１４２０を検知する接近検知部である。１４４０は、接近検知部１４３０で検知された音声出力装置１４２０の表示部１４１０上の位置を決定する位置検出部である。１４５０は、位置検出部１４４０によって決定された音声出力装置１４２０の位置から所定距離（第２の所定距離）以内に表示されているコンテンツの音声データを音声データ選択部１４８１に出力するコンテンツ選択部である。
【００５１】
また、１４８２は、音声出力装置１４２０の保持している情報を取得する情報取得部である。音声出力装置１４２０が保持している情報とは、例えば音声出力装置１４２０が出力可能な音域である。定格周波数範囲などでも良い。
音声データ選択部１４８１は、データ送信制御部１４６０を介して無線通信により音声出力装置１４２０に送信する音声データを、表示部１４１０に近接する音声出力装置１４２０の数と情報取得部１４８２により取得された音声出力装置の情報に基づいて選択する。また、音声データ選択部１４８１は、音声出力装置１４２０の数と音声出力装置の情報に基づいて、コンテンツ選択部１４５０からの音声データを変換（分割）する。データ送信制御部１４６０は、音声データ選択部１４８１によって選択、変換された音声データを無線通信により各音声出力装置に送信する。
【００５２】
１４７０は、コンテンツの表示位置や再生などの制御などを行う表示制御部である。表示制御部１４７０は、位置検出部１４４０によって決定された音声出力装置１４２０の位置から所定距離（第２の所定距離）以内の範囲を示す範囲画像（近接円）を表示させる。すなわち、表示制御部１４７０は、範囲画像表示を行う。コンテンツ選択部１４５０は、範囲画像に表示領域が重複するコンテンツ（画像データ）に対応する音声データを音声データ選択部１４８１に出力する。
【００５３】
図１５に、本実施形態の表示制御装置１５００の処理手順を示したフローチャートを示す。また、図１３に、表示制御装置１３００の表示部１３１０がコンテンツ１３４０〜１３４２を表示し、音声出力装置１３２０、１３２１、１３２２が表示部１３１０上に設置されている状態を示す。すなわち、音声出力装置１３２０、１３２１、１３２２が表示部１３１０に近接している。本実施形態では、音声出力装置１３２０，１３２１，１３２２の出力可能な音域をそれぞれ、高音域、中音域、低音域とする。音声出力装置１３２０，１３２１，１３２２は、それぞれ出力可能な音域の情報を保持している。
【００５４】
第１の実施形態と同様に、ステップ１５１０〜１５５０では、表示部１３１０に近接している音声出力装置１３２０、１３２１、１３２２の表示部１３１０上の座標が決定される。さらに、コンテンツ選択部１４５０は、コンテンツの表示領域と音声出力装置１３２０、１３２１、１３２２の近接円との交点計算などの演算を行い、選択されたコンテンツの音声データを音声データ選択部１４８１へ出力する。この例では、コンテンツ１３４０の表示領域から第２の所定距離以内に音声出力装置１３２０、１３２１、１３２２があると判定される。即ち、コンテンツ選択部１４５０は、ステップ１５５０において、位置検出部１４４０により決定された複数の位置から第２の所定距離以内に表示される一の画像データ（コンテンツ１３４０）があると判定する。
【００５５】
ステップ１５６０において、情報取得部１４８２は、一のコンテンツ（コンテンツ１３４０）に近接している音声出力装置１３２０、１３２１、１３２２の保持している出力可能な音域を取得する。情報取得部１４８２は、音声出力装置１３２０、１３２１、１３２２の出力可能な音域がそれぞれ高音域、中音域、低音域であることを示す情報を取得する。
次に、ステップ１５７０において、音声データ選択部１４８１は、コンテンツ選択部１４５０によって出力された音声データを選択して分割する。この例では、音声データ選択部１４８１は、コンテンツ１３４０の音声データを音域で分割する。
【００５６】
次に、ステップ１５８０において、データ送信制御部１４６０は、音声データ選択部１４８１で分割された音声データを音域別に音声出力装置に送信する。すなわち、データ送信制御部１４６０は、コンテンツ１３４０の高音域の音声データを音声出力装置１３２０に送信する。また、コンテンツ１３４０の中音域の音声データを音声出力装置１３２１に送信し、低音域の音声データを、音声出力装置１３２２に送信する。
次に、ステップ１５９０では、音声出力装置１３２０、１３２１、１３２２がそれぞれ高音域、中音域、低音域の音声データを出力する。
【００５７】
以上説明したように、本実施形態の情報取得部１４８２は、音声出力装置の音域に関する情報を取得する。そして、音声データ選択部１４８１は、位置検出部１４４０により決定された複数の位置から第２の所定距離以内に表示される一の画像データ（コンテンツ１３４０）がある場合、一の画像データに対応する音声データを音域で分割する。そして、音声データ選択部１４８１は、音域で分割された音声データを、情報取得部１４８２によって取得された音域に関する情報に基づいて、各音声出力装置に送信する。このようにすることで、音声出力装置の定格周波数範囲に適した音声を出力することができる。
【００５８】
＜その他の実施形態＞
また、本発明は、以下の処理を実行することによっても実現される。即ち、上述した実施形態の機能を実現するソフトウェア（プログラム）を、ネットワーク又は各種のコンピュータ読み取り可能な記憶媒体を介してシステム或いは装置に供給し、そのシステム或いは装置のコンピュータ（またはＣＰＵやＭＰＵ等）がプログラムを読み出して実行する処理である。
【符号の説明】
【００５９】
１００  画像表示装置、１１０  表示部、１２０  音声出力装置、１３０  接近検知部、１４０  位置検出部、１５０  コンテンツ選択部、１６０  データ送信制御部、１７０  表示制御部
【図１】
0005448611.tif 000002
【図２】
0005448611.tif 000003
【図３】
0005448611.tif 000004
【図４】
0005448611.tif 000005
【図５】
0005448611.tif 000006
【図６】
0005448611.tif 000007
【図７】
0005448611.tif 000008
【図８】
0005448611.tif 000009
【図９】
0005448611.tif 000010
【図１０】
0005448611.tif 000011
【図１１】
0005448611.tif 000012
【図１２】
0005448611.tif 000013
【図１３】
0005448611.tif 000014
【図１４】
0005448611.tif 000015
【図１５】
0005448611.tif 000016